(57)【要約】【課題】固定画素数のディスプレイに画像を表示する際、映像信号処理用のクロック信号と、表示用のクロック信号の周波数が近似する場合でも、ディスプレイでの表示画像を安定化するディスプレイ装置を提供する。【解決手段】選択された入力映像信号に応じて周波数が変化する第１のクロック信号によって動作する入力処理部と、この入力処理部からのデジタル映像信号を変換処理してディスプレイに出力し、所定周波数の第２のクロック信号によって動作する出力処理部とを有し、第１のクロック信号の周波数が第２のクロック信号の周波数と異なる場合は、入力処理部と出力処理部にそれぞれ個別に第１，第２のクロック信号を供給し、第１のクロック信号の周波数が第２のクロック信号の周波数に近似する場合は、入力処理部と出力処理部に共通に第１のクロック信号発生回路からのクロック信号を供給するクロック供給回路を備える。【選択図】  図１
2004170826.tif 000002
【特許請求の範囲】
【請求項１】
所定の画素数を有するディスプレイに画像を表示するための映像信号処理装置であって、
複数の映像信号が入力され、いずれか１つの映像信号を選択出力する入力選択回路と、
前記選択された映像信号をサンプリングしデジタル信号に変換するＡ／Ｄ変換回路を含み、前記選択された映像信号に応じて周波数が変化する第１のクロック信号によって動作する入力処理部と、
前記入力処理部からのデジタル映像信号を変換処理して前記ディスプレイに出力し、所定周波数の第２のクロック信号によって前記ディスプレイへの表示動作を行う出力処理部と、
前記第１のクロック信号及び前記第２のクロック信号をそれぞれ発生する第１，第２のクロック信号発生回路を含み、前記第１のクロック信号の周波数が前記第２のクロック信号の周波数と異なる第１の状態においては、前記入力処理部及び前記出力処理部に前記第１，第２のクロック信号発生回路からのクロック信号をそれぞれ供給するとともに、前記第１のクロック信号の周波数が前記第２のクロック信号の周波数に近似する第２の状態においては、前記入力処理部と前記出力処理部に共通に前記第１のクロック信号発生回路からのクロック信号を供給するクロック供給回路とを具備したことを特徴とする映像信号処理装置。
【請求項２】
前記第１のクロック信号発生回路は、前記選択された映像信号の同期信号に同期したｎ倍の周波数のクロック信号を発生し、前記第２のクロック信号発生回路は固定周波数のクロック信号を発生することを特徴とする請求項１記載のディスプレイ装置。
【請求項３】
前記第１の状態及び第２の状態を、前記入力選択回路にて選択された映像信号の種類に応じて判別する判別手段を有し、この判別手段からの判別結果に応答して前記第１，第２のクロック信号発生回路からのクロック信号の供給状態を切替えるようにしたことを特徴とする請求項１記載の映像信号処理装置。
【請求項４】
所定の画素数を有するディスプレイと、
複数の映像信号が入力され、いずれか１つの映像信号を選択出力する入力選択回路と、
前記選択された映像信号をサンプリングしデジタル信号に変換するＡ／Ｄ変換回路を含み、前記選択された映像信号に応じて周波数が変化する第１のクロック信号によって動作するデジタル処理回路と、
前記デジタルプロセッサからのデジタル映像信号が供給され、該デジタル映像信号の解像度を前記ディスプレイの画素数に対応して変換して出力し、所定周波数の第２のクロック信号によって表示用の処理を行い、前記ディスプレイへ変換された映像信号を供給する表示用処理回路と、
前記第１のクロック信号及び前記第２のクロック信号をそれぞれ発生する第１，第２のクロック信号発生回路を含み、前記第１のクロック信号の周波数が前記第２のクロック信号の周波数と異なる第１の状態においては、前記デジタル処理回路及び前記表示用処理回路に前記第１，第２のクロック信号発生回路からのクロック信号をそれぞれ供給するとともに、前記第１のクロック信号の周波数が前記第２のクロック信号の周波数に近似する第２の状態においては、前記デジタル処理回路と前記表示用処理回路に共通に前記第１のクロック信号発生回路からのクロック信号を供給するクロック供給回路とを具備したことを特徴とするディスプレイ装置。
【請求項５】
前記ディスプレイは、前記複数の映像信号の内、解像度の最も高い映像信号に対応した固定の画素数を有し、前記所定周波数の第２のクロック信号によって表示動作を行うことを特徴とする請求項４記載のディスプレイ装置。
【請求項６】
前記第１クロック信号発生回路は前記選択された映像信号の同期信号に同期したｎ倍の周波数を有する第１のクロック信号を発生し、前記第２のクロック信号発生回路は固定周波数の第２のクロック信号を発生することを特徴とする請求項４記載のディスプレイ装置。
【請求項７】
前記第１の状態及び第２の状態を、前記入力選択回路にて選択された映像信号の種類に応じて判別する判別手段を有し、この判別手段からの判別結果に応答して前記第１，第２のクロック信号発生回路からのクロック信号の供給状態を切替えるようにしたことを特徴とする請求項４記載の映像信号処理装置。
【請求項８】
前記クロック供給回路は、前記第１、第２のクロック信号発生回路からの第１、第２のクロック信号が入力され、前記信号判別回路による判別結果に応答して、いずれか一方のクロック信号を選択出力するスイッチ回路にて成ることを特徴とする請求項７記載のディスプレイ装置。
【発明の詳細な説明】
【０００１】
【発明の属する技術分野】
本発明は、液晶ディスプレイやプラズマディスプレイ等の固定の画素数を有するディスプレイに画像を表示するための映像信号処理装置及びディスプレイ装置に関するものである。
【０００２】
【従来の技術】
従来、テレビジョン受信機にあってはＮＴＳＣ方式のように走査線数の決まった映像信号を入力してディスプレイ装置に表示するようにしており、入力映像信号に対応した水平及び垂直方向の解像度を有している。
【０００３】
一方、最近では解像度の異なる複数の入力映像信号を処理して表示するディスプレイ装置も普及している。例えば、有効走査線数が４８０本のインタレースの映像信号（４８０ｉ）や４８０本の順次走査の映像信号（４８０ｐ）、又は有効走査線数が１０８０本のインタレースの映像信号（１０８０ｉ）や７２０本の順次走査の映像信号（７２０ｐ）といった高解像度を有する映像信号、さらにはＶＧＡ，ＳＶＧＡ，ＸＧＡ等のパーソナルコンピュータ用の信号を入力可能なディスプレイ装置がある。
【０００４】
一方、ディスプレイとしては、従来のＣＲＴのほかに液晶ディスプレイやプラズマディスプレイ等のように固定の画素数を有するディスプレイが利用されており、各種の映像信号が入力された場合にも表示できるように、解像度の高い、例えば有効走査線数が１０８０本の順次走査方式（１０８０ｐ）に対応したディスプレイを使用したものがる。
【０００５】
このようなディスプレイにあっては、入力映像信号の解像度が低い場合、この入力映像信号をデジタル信号に変換して垂直及び水平方向に拡大処理を行い、解像度を擬似的に高めることにより、高精細な映像を表示可能としている。
【０００６】
解像度変換処理については、例えば特開２０００−２０７０９号公報に記載されている。この公報の例ではデジタル信号に変換された映像信号データを補間処理して水平及び垂直方向への解像度を増した映像データを得る例が記載されている。
【０００７】
また、入力映像信号をデジタル信号に変換したり解像度を変換処理する場合、扱う各種信号のサンプリングレートに応じたクロック信号を発生し、それを利用して信号処理を行う必要がある。その一方でディスプレイは、固定周波数のクロック信号で表示動作しているため、入力映像信号によっては、信号処理用のクロック信号と表示用のクロック信号の周波数が極めて近似する場合がある。
【０００８】
これら２種のクロック信号の周波数が近似する場合、それらの差信号成分がアナログ信号に漏れ込み、画面上に悪影響を及ぼすことがある。特に２種のクロック信号の周波数が同一の場合、ゼロビートが発生し画面上では映像の浮き沈み現象が発生する。
【０００９】
【特許文献１】
特開２０００−２０７０９号公報（第４頁、図２）
【００１０】
【発明が解決しようとする課題】
従来の映像信号処理装置では、デジタル映像信号を処理するクロック信号と、ディスプレイの表示用クロック信号の周波数が同一の場合に、ゼロビートが発生し画面上に悪影響を及ぼしていた。本発明は、上記事情に対処した映像信号処理装置及びディスプレイ装置を提供することを目的とする。
【００１１】
【課題を解決するための手段】
請求項１記載の発明は、所定の画素数を有するディスプレイに画像を表示するための映像信号処理装置であって、
複数の映像信号が入力され、いずれか１つの映像信号を選択出力する入力選択回路と；前記選択された映像信号をサンプリングしデジタル信号に変換するＡ／Ｄ変換回路を含み、前記選択された映像信号に応じて周波数が変化する第１のクロック信号によって動作する入力処理部と；前記入力処理部からのデジタル映像信号を変換処理して前記ディスプレイに出力し、所定周波数の第２のクロック信号によって前記ディスプレイへの表示動作を行う出力処理部と；前記第１のクロック信号及び前記第２のクロック信号をそれぞれ発生する第１，第２のクロック信号発生回路を含み、前記第１のクロック信号の周波数が前記第２のクロック信号の周波数と異なる第１の状態においては、前記入力処理部及び前記出力処理部に前記第１，第２のクロック信号発生回路からのクロック信号をそれぞれ供給するとともに、前記第１のクロック信号の周波数が前記第２のクロック信号の周波数に近似する第２の状態においては、前記入力処理部と前記出力処理部に共通に前記第１のクロック信号発生回路からのクロック信号を供給するクロック供給回路とを具備したことを特徴とする。
【００１２】
上記発明によれば、第１のクロック信号の周波数が第２のクロック信号の周波数に近似する場合は、入力処理部及び出力処理部に共通に第１のクロック信号発生回路からのクロック信号を供給することにより、ディスプレイに画像を表示したときにゼロビートの発生を防ぐことができる。
【００１３】
また請求項４記載の発明は、所定の画素数を有するディスプレイと；複数の映像信号が入力され、いずれか１つの映像信号を選択出力する入力選択回路と；前記選択された映像信号をサンプリングしデジタル信号に変換するＡ／Ｄ変換回路を含み、前記選択された映像信号に応じて周波数が変化する第１のクロック信号によって動作するデジタル処理回路と；前記デジタルプロセッサからのデジタル映像信号が供給され、該デジタル映像信号の解像度を前記ディスプレイの画素数に対応して変換して出力し、所定周波数の第２のクロック信号によって表示用の処理を行い、前記ディスプレイへ変換された映像信号を供給する表示用処理回路と；前記第１のクロック信号及び前記第２のクロック信号をそれぞれ発生する第１，第２のクロック信号発生回路を含み、前記第１のクロック信号の周波数が前記第２のクロック信号の周波数と異なる第１の状態においては、前記デジタル処理回路及び前記表示用処理回路に前記第１，第２のクロック信号発生回路からのクロック信号をそれぞれ供給するとともに、前記第１のクロック信号の周波数が前記第２のクロック信号の周波数に近似する第２の状態においては、前記デジタル処理回路と前記表示用処理回路に共通に前記第１のクロック信号発生回路からのクロック信号を供給するクロック供給回路とを具備したことを特徴とするディスプレイ装置である。
【００１４】
上記した上記発明によれば、第１のクロック信号の周波数が第２のクロック信号の周波数に近似する場合は、入力処理部及び出力処理部に共通に第１のクロック信号発生回路からのクロック信号を供給することにより、ゼロビートの発生を防ぎ、ディスプレイでの画像を安定化することができる。
【００１５】
【発明の実施の形態】
以下、本発明の実施形態を図を参照して説明する。図１は本発明の一実施形態による映像信号処理装置の概略構成を示すブロック図である。
【００１６】
図１の映像信号処理装置は、入力選択回路１と、デジタル信号処理回路２と、信号変換回路３とを有し、信号変換回路３からの出力映像信号をディスプレイ４に供給するようにしている。さらに第１，第２のクロック信号発生回路５、６及びクロック信号切替回路７とを具備している。またこのような映像信号処理装置の動作を制御する制御回路８を有している。
【００１７】
入力選択回路１は、方式の異なる複数の入力映像信号から１つの映像信号を選択出力するものであり、選択された映像信号はデジタル信号処理回路２によりアナログ信号からデジタル信号に変換される。第１のクロック信号発生回路５は、入力映像信号のサンプリングレートに応じたクロック信号を発生するもので、デジタル信号処理回路２はこのサンプリングクロックをもとにデジタル信号に変換する。また、第２のクロック信号発生回路６は固定周波数のクロック信号を発生する。
【００１８】
信号変換回路３は、入力されたデジタル映像信号を処理する映像信号入力部ＩＮと、映像信号の解像度を変換して出力する映像信号出力部ＯＵＴとを有し、映像信号入力部ＩＮはクロック信号ｃｋ１によって動作し、映像信号出力部ＯＵＴはクロック信号ｃｋ２によって動作する。また、ディスプレイ４もクロック信号ｃｋ２によって動作する。
【００１９】
クロック信号切替回路７は、入力選択回路１が選択した入力映像信号の種類に応じて切替わり、前記クロック信号ｃｋ１とｃｋ２の周波数が異なる第１の状態（ｃｋ１≠ｃｋ２）では前記クロック信号発生回路５からのクロック信号ｃｋ１を前記デジタル信号処理回路２及び映像信号入力部ＩＮに供給し、前記第２のクロック信号発生回路６からのクロック信号ｃｋ２を前記映像信号出力部ＯＵＴ及びディスプレイ４に供給する。
【００２０】
また前記クロック信号ｃｋ１とｃｋ２の周波数が近似する第２の状態（ｃｋ１≒ｃｋ２）ではクロック信号発生回路５からのクロック信号を、前記デジタル信号処理回路２及び映像信号入力部ＩＮに供給するとともに、前記映像信号出力部ＯＵＴ及びディスプレイ４にも供給する。
【００２１】
即ち、ディスプレイ４は、複数の入力映像信号の内、解像度の高い映像信号に対応した固定の画素数（例えば１０８０ｐに対応した画素数）を有しており、通常は固定周波数のクロック信号発生回路６からのクロック信号ｃｋ２によって表示動作が行われる。これに対し、クロック信号発生回路５は入力映像信号に対応して異なるサンプリングレートのクロック信号を発生するため、低解像度の映像信号（例えば４８０ｉ）が入力されたときは低い周波数のクロック信号を発生するが、高解像度の映像信号（例えば１０８０ｉ）が入力されたときは高い周波数のクロック信号を発生することになる。
【００２２】
したがって入力映像信号の種類によっては、クロック信号発生回路５からのクロック信号ｃｋ１とクロック信号発生回路６からのクロック信号ｃｋ２の周波数が近似し、例えば同じ周波数のクロック信号が２つのクロック信号発生回路５，６から同時に出力され、それぞれ信号処理と表示用に供給されるという事態を招く。このような場合、２種のクロック信号の差信号成分がアナログ信号に漏れ込み、ゼロビートが発生し画面上では映像の浮き沈み現象が発生する。
【００２３】
本発明では、このように２つのクロック信号発生回路５，６から周波数の近似するクロック信号が出力される場合、一方のクロック信号発生回路５からのクロック信号のみを利用し、他方のクロック信号発生回路６からのクロック信号は利用しないように、クロック信号切替回路７を制御するものである。
【００２４】
即ち、制御回路８は２つのクロック信号の周波数が近似、又は同一となるような場合に、クロック信号切替回路７をスイッチング制御して、クロック信号発生回路５からのクロック信号のみを利用し、同一のクロック信号源からのクロック信号を信号処理用及び表示用のクロック信号として供給するようにしている。これにより、ゼロビートの発生を防止するようにしている。
【００２５】
図２は本発明の映像信号処理装置を、テレビジョン受信機に適用した例を示すブロック図である。
【００２６】
図２において、１１，１２…は映像信号入力端子であり、例えば有効走査線数が４８０本のインタレースの映像信号（４８０ｉ）や４８０本の順次走査の映像信号（４８０ｐ）、又は高解像度を有するインタレースの映像信号（１０８０ｉ）や順次走査の映像信号（７２０ｐ）、さらにはＶＧＡ，ＳＶＧＡ，ＸＧＡ等のパーソナルコンピュータ用の信号が入力される端子である。
【００２７】
これら複数の入力端子１１，１２…に入力された映像信号はＡＶスイッチ１３により、いずれか１の映像信号が選択される。ＡＶスイッチ１３によって選択出力された映像信号は映像処理回路１４によって増幅等の処理が行われ、次段のデジタル信号処理回路１５に供給される。またＡＶスイッチ１３からの映像信号は同期分離回路１６に供給される。
【００２８】
前記デジタル信号処理回路１５は、Ａ／Ｄ変換回路（アナログ・デジタル変換回路）１７、画像処理回路１８、クロック信号発生回路１９から成り、前記同期分離回路１６の出力はクロック信号発生回路１９に供給される。クロック信号発生回路１９は、分離した水平同期信号に同期しその整数倍のクロック信号を生成するようにＰＬＬを形成している。
【００２９】
また、前記同期分離回路１６の出力は信号検出回路２０に供給され、信号検出回路２０は同期分離出力である水平・垂直同期信号の周波数等を検出して、制御回路であるマイクロコンピュータ２１に供給する。
【００３０】
前記クロック信号発生回路１９は、マイクロコンピュータ２１の制御のもとに入力映像信号のサンプリングレートに応じたクロック信号ｃｋ１を発生して、Ａ／Ｄ変換回路１７に供給し、Ａ／Ｄ変換回路１７はこのサンプリングクロックをもとにデジタル信号に変換する。又、Ａ／Ｄ変換回路１７からのデジタル映像信号は画像処理回路１８に供給され、ＲＧＢのデジタル信号を出力する。
【００３１】
この画像処理回路１８の出力は、次段の解像度変換回路２２に供給される。この解像度変換回路２２は、スケーラ２３及びメモリ２４を含み、スケーラ２３は、走査線数や画素数の変換処理を行う。スケーラ２３は、画像処理回路１８からのデジタル信号をクロック信号発生回路１９からのクロック信号Ｃｋ１によって処理する入力部と、解像度変換後の映像を後述するクロック信号ｃｋ２によって読出して処理する出力部とを有し、解像度変換回路２２の出力は、ディスプレイ２５に供給される。
【００３２】
ディスプレイ２５は、例えば液晶パネルやプラズマディスプレイパネルにて成り、固定の画素数（例えば１０８０ｐに対応した画素数）を有しており、個別に設けたクロック信号発生回路２６からのクロック信号ｃｋ２によって表示動作が行われる。前記クロック信号発生回路２６にはクリスタル発振子２７が接続されており、固定周波数のクロック信号ｃｋ２を発生する。
【００３３】
ディスプレイ２５は、ｍ行、ｎ列からなるｍ・ｎ個の画素数で構成され、行数は垂直解像度を示し、列数は水平解像度を示す。
【００３４】
さらに、前記解像度変換回路２２にはクロック信号切替回路２８が接続されており、前記クロック信号発生回路１９からのクロック信号ｃｋ１又は前記クロック信号発生回路２６からのクロック信号ｃｋ２を切替えて前記解像度変換回路２２の出力部及びディスプレイ２５に供給するようにしている。このクロック信号切替回路２８はマイクロコンピュータ２１の制御のもとに制御されるもので、前記信号検出回路２０からの検出信号をもとに入力信号の種類を判別し、その判別結果によってクロック信号ｃｋ１又はクロック信号ｃｋ２を選択するように切替回路２８を制御する。
【００３５】
尚、２９はリモコン等の操作部であり、ユーザの操作により、入力端子１１，１２…に入力された映像信号のいずれかを選択するようにしている。
【００３６】
次にこのような映像信号処理装置を有するテレビジョン受信機の動作について説明する。ディスプレイ２５は、例えば１０８０ｐに対応した画素数を有しており、入力端子１１，１２…には４８０ｉ、４８０ｐ、７２０ｐ、１０８０ｉ等の映像信号が入力可能となっている。
【００３７】
ＡＶスイッチ１３によって例えは４８０ｉの映像信号が選択された場合、信号検出回路２０からの検出信号がマイクロコンピュータ２１に供給され、入力信号の種類が判別される。この結果、４８０ｉの映像信号が選択されたことが判別され、前記クロック信号発生回路１９からは、例えば２７ＭＨｚのクロック信号ｃｋ１が出力される。また、前記クロック信号切替回路２８は、クロック信号発生回路２６からの固定周波数のクロック信号ｃｋ２（例えば７４．２５ＭＨｚ）を出力するように切替動作を行う。
【００３８】
前記Ａ／Ｄ変換回路１７、デジタル画像処理回路１８には２７ＭＨｚのサンプリングクロック信号が供給され、Ａ／Ｄ変換処理等を行う。解像度変換回路２２は、サンプリングした映像データに対して走査変換処理を行い、水平走査ライン数を例えば倍にして垂直方向の解像度を高める処理を行い、また内挿補間処理を行い水平方向への解像度を増した映像データを出力する。
【００３９】
前記メモリ２４は、垂直方向の解像度変換のために２つのラインメモリが用いられ、メモリへの書き込み用クロックとして前記クロック信号ｃｋ１が供給され、クロック信号Ｃｋ１にてサンプリングされた映像データを順次２つのラインメモリに書き込む。さらに１ライン前と１ライン後の映像データを利用してライン数の補間及び順次走査への変換処理を行う。
【００４０】
また、水平解像度の変換のために別のラインメモリが用いられ、走査変換された映像データをラインメモリに書き込み、さらに内挿補間処理を行って水平方向の解像度を増す処理を行う。なお、走査変換処理や内挿補間処理の方法としては種々の回路が知られている。こうして解像度の変換された映像データは、クロック信号発生回路２６からの固定周波数のクロック信号ｃｋ２（例えば７４．２５ＭＨｚ）によって読出されて出力され、ディスプレイ２５に供給される。
【００４１】
次にＡＶスイッチ１３によって例えば高精細の１０８０ｉの映像信号が選択された場合、マイクロコンピュータ２１は、１０８０ｉの映像信号が選択されたことを判別し、前記クロック信号発生回路１９から例えば７４．２５ＭＨｚのクロック信号ｃｋ１を出力するように制御する。また、前記クロック信号切替回路２８は、前記クロック信号発生回路１９からの７４．２５ＭＨｚのクロック信号ｃｋ１を選択出力するように切替動作を行う。
【００４２】
前記Ａ／Ｄ変換回路１７、デジタル画像処理回路１８及び解像度変換回路２２にはこの７４．２５ＭＨｚのサンプリングクロック信号が供給され、Ａ／Ｄ変換処理等を行う。この場合、解像度変換回路２２は水平走査ライン数を例えば倍にして順次走査への変換処理を行い、また必要に応じて内挿補間処理を行い水平方向への解像度を変換した映像データを出力する。
【００４３】
この場合、デジタルプロセッサ１５用のクロック信号及びスケーラ２３に供給するクロック信号と、ディスプレイ２５の表示動作用クロック信号は、同じ周波数のクロック信号が用いられるため、クロック切替回路２８は、ディスプレイ２５に対して、クロック信号発生回路１９からのクロック信号（７４．２５ＭＨｚ）を供給し、クロック信号発生回路２６からのクロック信号は供給されないようにスイッチ動作を行う。
【００４４】
これにより、デジタル映像データを処理する回路とディスプレイ２５には、同一のクロック信号源１９からのクロック信号が使用されることになり、従来のようにゼロビートの発生がなくなる。従って表示画面上には何ら悪影響を及ぼすことはなく、安定した映像を表示することができる。
【００４５】
尚、図２において、ＡＶスイッチ１３により４８０ｐの映像信号が選択されたときは、デジタル映像データの出力用のクロック信号は２７ＭＨｚとなり、ディスプレイ２５のクロック信号は７４．２５ＭＨｚとなるので、クロック発生回路１９，２６からのそれぞれのクロック信号ｃｋ１，ｃｋ２が映像信号処理系とディスプレイに供給される。
【００４６】
また、ＡＶスイッチ１３により７２０ｐの映像信号が選択されたときは、デジタル映像データの出力用のクロック信号は、７４．２５ＭＨｚとなり、ディスプレイ２５のクロック信号も７４．２５ＭＨｚとなるので、クロック発生回路１９からのクロック信号が映像信号処理系とディスプレイの両方に供給される。
【００４７】
また、入力端子１１，１２…には、ＶＧＡ，ＳＶＧＡ，ＸＧＡ等のパーソナルコンピュータ用の信号も入力される場合があり、それらの信号を選択したときにも同様に、映像信号処理系とディスプレイ用のクロック信号周波数が異なる場合には、２つのクロック信号発生回路１９，２６からそれぞれクロック信号を供給し、映像信号処理用とディスプレイへの表示用のクロック信号周波数が同じ場合は、一方のクロック信号発生回路１９からクロック信号を供給するように動作する。
【００４８】
次に、図３を参照して本発明の映像信号処理装置の主要部の具体回路について説明する。図３はクロック信号切替回路２８を中心にその周辺回路を示したものである。
【００４９】
図３において、２６はクロック信号発生回路であり、固定周波数の信号を発生する発振用ＩＣ（集積回路）３０を有し、このＩＣ３０にはクリスタル発振子を含むＩＣ３１が接続され、出力端子３２から固定周波数（例えば７４．２５ＭＨｚ）のクロック信号ｃｋ２を出力する。
【００５０】
また前記クロック発生回路１９からのクロック信号ｃｋ１が増幅用ＩＣ３３，３４に供給され、増幅用ＩＣ３３からは前記Ａ／Ｄ変換回路１７及びデジタル画像処理回路１８にクロック信号ｃｋ１を供給し、増幅用ＩＣ３４の出力端子３５からは前記解像度変換回路２２の入力部及びクロック信号切替回路２８へクロック信号ｃｋ１を出力する。
【００５１】
またマイクロコンピュータ２１の端子３６からは、クロック切替信号（Ｈ又は／Ｌ）が出力され、このクロック切替信号（Ｈ又は／Ｌ）がインバータ３７で反転されて反転信号（Ｌ又は／Ｈ）を出力する。
【００５２】
さらに２８はクロック信号切替回路であって、ゲートＧ１、Ｇ２を含むＩＣ３８にて構成され、ゲートＧ１の入力には前記増幅用ＩＣ３４の出力端子３５からクロック信号ｃｋ１が供給され、ゲートＧ２の入力には前記クロック信号発生回路２６の出力端子３５からクロック信号ｃｋ２が供給されている。又、各ゲートＧ２，Ｇ１のゲート端子には前記クロック切替信号（Ｈ又は／Ｌ）及びその反転信号（Ｌ又は／Ｈ）が供給され、各ゲートＧ１，Ｇ２の出力端は共通に接続されて、出力端子３９に接続されている。
【００５３】
図３において、マイクロコンピュータ２１からは入力映像信号の判別結果に従って、クロック切替信号が出力される。例えばＡＶスイッチ１３が４８０ｉの映像信号を選択した場合、クロック切替信号はＬ（Ｌｏｗ）になりゲートＧ２はオンとなる。一方、インバータ３７の出力は反転してＨ（Ｈｉｇｈ）になるため、ゲートＧ１はオフになる。これにより、表示用クロックとしてはクロック信号発生回路２６からのクロック信号ｃｋ２（７４．２５ＭＨｚ）が供給される。
【００５４】
またＡＶスイッチ１３が１０８０ｉの映像信号を選択した場合、クロック切替信号はＨ（Ｈｉｇｈ）になりゲートＧ２はオフとなる。一方、インバータ３７の出力は反転してＬ（Ｌｏｗ）になるため、ゲートＧ１はオンになる。これにより、表示用クロックとしてはクロック信号発生回路１９からのクロック信号ｃｋ１（７４．２５ＭＨｚ）が供給される。
【００５５】
このように本発明では、映像信号処理用とディスプレイへの表示用のクロック信号周波数が異なる場合には、２つのクロック信号発生回路１９，２６からそれぞれクロック信号を供給し、映像信号処理用とディスプレイへの表示用のクロック信号周波数が同じ場合は、一方のクロック信号発生回路１９からクロック信号を供給するように動作する。
【００５６】
【発明の効果】
以上のように本発明によれば、ゼロビートの発生を防止し、表示画面上に何ら悪影響を及ぼすことはなく、安定した映像を表示することができる。
【図面の簡単な説明】
【図１】本発明の一実施形態による映像信号処理装置の概略構成を示すブロック図。
【図２】本発明の一実施形態による映像信号処理装置をテレビジョン受信機に適用した場合の具体的な回路を示すブロック図。
【図３】図２の主要部の構成を示す回路図。
【符号の説明】
１…入力選択回路
２…デジタル信号処理回路
３…信号変換回路
４…ディスプレイ
５，６…クロック信号発生回路
７…クロック信号切替回路
８…制御回路
１１，１２…入力端子
１３…ＡＶスイッチ
１４…映像信号処理回路
１５…デジタル信号処理回路
１６…同期分離回路
１７…Ａ／Ｄ変換回路
１８…画像処理回路
１９…クロック信号発生回路
２０…信号検出回路
２１…マイクロコンピュータ
２２…解像度変換回路
２３…メモリ
２４…スケーラ
２５…ディスプレイ
２６…クロック信号発生回路（固定周波数）
２８…クロック信号切替回路
【図１】
2004170826.tif 000003
【図２】
2004170826.tif 000004
【図３】
2004170826.tif 000005